【手続補正書】
【提出日】平成17年7月12日(2005.7.12)
【手続補正１】
【補正対象書類名】明細書
【補正対象項目名】特許請求の範囲
【補正方法】変更
【補正の内容】
【特許請求の範囲】
【請求項１】
第１基板と第２基板に挟持された液晶層と、前記第２基板の前記液晶層側の面に形成された第１電極、第２電極を備え、前記第１電極と前記第２電極は前記液晶層に対し実質的に基板面と平行な電界が印加できるように構成された液晶装置において、
前記第１電極は前記第２電極上に第２絶縁膜を介して形成されるとともに、前記第１電極は所定の線幅を有する線状形状で構成され、前記第１電極、前記第２電極のうち少なくとも１つは前記第１基板側から入射した光を反射させる反射電極であることを特徴とする液晶装置。
【請求項２】
第１基板と第２基板に挟持された液晶層と、前記第２基板の前記液晶層側の面に形成された第１電極、第２電極とを備え、前記第１電極と前記第２電極との間に生じる電界によって前記液晶層を駆動する液晶装置において、
前記第１電極は前記第２電極上に第２絶縁膜を介して形成されるとともに、前記第１電極は所定の線幅を有する線状形状で構成され、前記第１電極、前記第２電極のうち少なくとも１つは前記第１基板側から入射した光を反射させる反射電極であることを特徴とする液晶装置。
【請求項３】
第１基板と第２基板に挟持された液晶層と、前記第２基板の前記液晶層側の面に形成された走査信号線、画像信号線、第１電極、第２電極及びアクティブ素子を備え、前記第１電極と前記第２電極は前記液晶層に対し実質的に基板面と平行な電界が印加できるように構成された液晶装置において、
前記第２電極は前記走査信号線、前記画像信号線、前記アクティブ素子を覆うように第１絶縁膜を介して液晶装置の表示エリアの概ね全域に形成され、かつ開口部を有し、前記第１電極は前記第２電極上に第２絶縁膜を介して各画素内に所定の線幅を有する線状で形成され、前記第２電極の開口部を介して前記第１電極と前記アクティブ素子は接続され、
前記第１電極、前記第２電極のうち少なくとも１つは前記第１基板側から入射した光を反射させる反射電極であることを特徴とする液晶装置。
【請求項４】
第１基板と第２基板の間に液晶層が挟持され、前記２基板の前記液晶層側の面には、走査信号又は画像信号を供給する信号線と、該信号線に電気的に接続されたアクティブ素子と、電極間に生じる電界によって前記液晶を駆動する第１電極及び第２電極とが形成され、前記第１電極は前記アクティブ素子に接続される液晶装置において、
前記第２電極は、前記信号線、及び前記アクティブ素子を覆う第１絶縁膜上に開口部を有して形成され、
前記第１電極は、前記第２電極上に第２絶縁膜を介して形成されるとともに、前記第１電極は所定の線幅を有した線状形状で構成されてなり、
前記第２電極の開口部を通じて前記第１電極と前記アクティブ素子とが接続され、前記第１電極、前記第２電極のうち少なくとも１つは前記第１基板側から入射した光を反射させる反射電極であることを特徴とする液晶装置。
【請求項５】
前記第１電極の線幅をＷ１、電極間隔をＬ１とすると、４＜Ｌ１／Ｗ１≦４０であることを特徴とする請求項１乃至４のいずれか１項に記載の液晶装置。
【請求項６】
前記第１電極の線幅をＷ１、電極間隔をＬ１とすると、０．００５≦Ｌ１／Ｗ１＜０．２であることを特徴とする請求項１乃至４のいずれか１項に記載の液晶装置。
【請求項７】
前記第１電極の電極間隔をＬ１とすると、０．１μｍ≦Ｌ１＜１μｍであることを特徴とする請求項１乃至４のいずれか１項に記載の液晶装置。
【請求項８】
前記第１電極の電極間隔をＬ１とすると、８μｍ＜Ｌ１≦２５μｍであることを特徴とする請求項１乃至４のいずれか１項に記載の液晶装置。
【請求項９】
前記第２電極における開口部は１画素内で複数存在し、各々を通じて複数の前記線状形状の第１電極が１つの同じアクティブ素子に接続されることを特徴とする請求項３又は請求項４に記載の液晶装置。
【請求項１０】
前記第１電極が遮光膜を兼ねていることを特徴とする請求項１乃至請求項９のいずれか１項に記載の液晶装置。
【請求項１１】
前記第２電極が遮光膜を兼ねていることを特徴とする請求項１乃至請求項９のいずれか１項に記載の液晶装置。
【請求項１２】
前記線状形状の第１電極の長手方向は液晶パネルの４つの辺いずれとも非平行かつ非直交であることを特徴とする請求項１乃至請求項１１のいずれか１項に記載の液晶装置。
【請求項１３】
各画素の形状は平行四辺形でかつ各角が直角でないことを特徴とする請求項１乃至請求項１１のいずれか１項に記載の液晶装置。
【請求項１４】
前記線状形状の第１電極の長手方向と液晶パネルの長手方向なす角度をβとすると、３度≦β≦８７度であることを特徴とする請求項１乃至請求項１１のいずれか１項に記載の液晶装置。
【請求項１５】
隣り合う画素のうち、少なくとも１つの線状形状の第１電極の長手方向が隣り合う画素の線状形状の第１電極の長手方向と非平行であることを特徴とする請求項１乃至請求項１１のいずれか１項に記載の液晶装置。
【請求項１６】
前記線状形状の第１電極の形状が「く」の字であることを特徴とする請求項１乃至請求項１１のいずれか１項に記載の液晶装置。
【請求項１７】
前記第１絶縁膜は前記第２電極が鏡面となるように平坦化機能を有することを特徴とする請求項３又は請求項４に記載の液晶装置。
【請求項１８】
前記第１電極は画素電極であり、前記第２電極は共通電極であることを特徴とする請求項１乃至請求項１７のいずれか１項に記載の液晶装置。
【請求項１９】
前記第１絶縁膜の厚さをＤ１とすると、０．０１μｍ≦Ｄ１≦５μｍであることを特徴とする請求項３又は請求項４に記載の液晶装置。
【請求項２０】
前記第２絶縁膜の厚さをＤ２とすると、０．０１μｍ≦Ｄ２≦５μｍであることを特徴とする請求項１乃至請求項４のいずれか１項に記載の液晶装置。
【請求項２１】
前記第１絶縁膜、第２絶縁膜のうちいずれかがＳｉＯｘまたはＳｉＮｘからなることを特徴とする請求項１乃至請求項４のいずれか１項に記載の液晶装置。
【請求項２２】
前記第２絶縁膜の可視光域における透過率が８０％以上であることを特徴とする請求項１乃至請求項４のいずれか１項に記載の液晶装置。
【請求項２３】
前記第２絶縁膜がカラーフィルタであることを特徴とする請求項１乃至請求項４のいずれか１項に記載の液晶装置。
【請求項２４】
前記液晶層の厚みをｄ、液晶の屈折率異方性をΔｎとすると、０．１μｍ≦Δｎ×ｄ＜０．２μｍであることを特徴とする請求項１乃至請求項２３のいずれか１項に記載の液晶装置。
【請求項２５】
前記第１基板、前記第２基板において前記液晶層と接する面には配向膜が形成され、前記液晶層における液晶分子が基板面となす角度（プレティルト角）をθｐとすると、１０度＜θｐ≦９０度であることを特徴とする請求項１乃至請求項２４のいずれか１項に記載の液晶装置。
【請求項２６】
前記第１基板内面に形成された配向膜の配向軸と前記第２基板内面に形成された配向膜の配向軸の角度をαとすると、０度≦α＜１８０度であることを特徴とする請求項１乃至請求項２５のいずれか１項に記載の液晶装置。
【請求項２７】
前記液晶層は誘電率異方性が負でかつ、シアノ基を有する液晶材料を含むことを特徴とする請求項１乃至請求項２６のいずれか１項に記載の液晶装置。
【請求項２８】
前記液晶層はカイラルを有する液晶材料を含むことを特徴とする請求項１乃至請求項２７のいずれか１項に記載の液晶装置。
【請求項２９】
前記配向膜はＳｉＯｘからなることを特徴とする請求項１乃至請求項２８のいずれか１項に記載の液晶装置。
【請求項３０】
前記第２基板はシリコン（Ｓｉ）基板であることを特徴とする請求項１乃至請求項２９のいずれか１項に記載の液晶装置。
【請求項３１】
前記第１基板の前記液晶層と異なる面に一定電位の透明電極を設けたことを特徴とする請求項１乃至請求項３０のいずれか１項に記載の液晶装置。
【請求項３２】
前記透明電極は零電位であることを特徴とする請求項３１記載の液晶装置。
【請求項３３】
前記透明電極はＩＴＯから成ることを特徴とする請求項３１または請求項３２記載の液晶装置。
【請求項３４】
画素ピッチが３０μｍ以下であることを特徴とする請求項１乃至請求項３３のいずれか１項に記載の液晶装置。
【請求項３５】
前記第１電極の電極間隔をＬ１、前記第２絶縁膜の厚さをＤ２とすると、５≦Ｌ１／Ｄ２≦３０であることを特徴とする請求項１乃至請求項３４のいずれか１項に記載の液晶装置。
【請求項３６】
請求項１乃至請求項３５のいずれか１項に記載の液晶装置を備えたことを特徴とする投射型表示装置。
【請求項３７】
光源と、前記光源からの光を変調する光変調装置と、前記光変調装置により変調された光を投射する投射レンズとが具備され、前記光変調装置として請求項１乃至請求項３５のいずれか１項に記載された液晶装置が用いられたことを特徴とする投射型表示装置。
【請求項３８】
前記第１基板の前記液晶層とは異なる側に偏光板を配置し、前記液晶層は一軸配向を成し、前記一軸配向方向と前記偏光板の透過軸は概ね４５度の角度を成し、前記液晶層の位相差が概ね１／４波長であることを特徴とする請求項１乃至請求項３５のいずれか１項に記載の液晶装置。
【請求項３９】
前記第１基板の前記液晶層とは異なる側に少なくとも１枚の位相差板と偏光板を順次配置し、前記液晶層と前記位相差板を合わせた位相差が可視光域の光に対して概ね１／４波長であることを特徴とする請求項１乃至請求項３５のいずれか１項に記載の液晶装置。
【請求項４０】
前記第１基板の前記液晶層とは異なる側に少なくとも１枚の位相差板と偏光板を順次配置し、前記位相差板は可視光域で概ね１／４波長であることを特徴とする請求項１乃至請求項３５のいずれか１項に記載の液晶装置。
【請求項４１】
前記第１基板の前記液晶層側の面に各画素に対応したカラーフィルタを形成したことを特徴とする請求項３８乃至請求項４０のいずれか１項に記載の液晶装置。
【請求項４２】
請求項３８乃至請求項４１のいずれか１項に記載の液晶装置を搭載したことを特徴とする電子機器。
【手続補正２】
【補正対象書類名】明細書
【補正対象項目名】００１１
【補正方法】変更
【補正の内容】
【００１１】  本発明の液晶装置は、第１基板と第２基板に挟持された液晶層と、前記第２基板の前記液晶層側の面に形成された第１電極、第２電極を備え、前記第１電極と前記第２電極は前記液晶層に対し実質的に基板面と平行な電界が印加できるように構成された液晶装置において、前記第１電極は前記第２電極上に第２絶縁膜を介して形成されるとともに、前記第１電極は所定の線幅を有する線状形状で構成され、前記第１電極、前記第２電極のうち少なくとも１つは前記第１基板側から入射した光を反射させる反射電極であることを特徴とする。  また、本発明の液晶装置は、第１基板と第２基板に挟持された液晶層と、前記第２基板の前記液晶層側の面に形成された第１電極、第２電極とを備え、前記第１電極と前記第２電極との間に生じる電界によって前記液晶層を駆動する液晶装置において、前記第１電極は前記第２電極上に第２絶縁膜を介して形成されるとともに、前記第１電極は所定の線幅を有する線状形状で構成され、前記第１電極、前記第２電極のうち少なくとも１つは前記第１基板側から入射した光を反射させる反射電極であることを特徴とする。
【手続補正３】
【補正対象書類名】明細書
【補正対象項目名】００１３
【補正方法】変更
【補正の内容】
【００１３】  本発明の第１基板と第２基板に挟持された液晶層と、前記第２基板の前記液晶層側の面に形成された走査信号線、画像信号線、第１電極、第２電極及びアクティブ素子を備え、前記第１電極と前記第２電極は前記液晶層に対し実質的に基板面と平行な電界が印加できるように構成された液晶装置において、前記第２電極は前記走査信号線、前記画像信号線、前記アクティブ素子を覆うように第１絶縁膜を介して液晶装置の表示エリアの概ね全域に形成され、かつ開口部を有し、前記第１電極は前記第２電極上に第２絶縁膜を介して各画素内に所定の線幅を有する線状で形成され、前記第２電極の開口部を介して前記第１電極と前記アクティブ素子は接続され、前記第１電極、前記第２電極のうち少なくとも１つは前記第１基板側から入射した光を反射させる反射電極であることを特徴とする。  また、本発明の液晶装置は、第１基板と第２基板の間に液晶層が挟持され、前記２基板の前記液晶層側の面には、走査信号又は画像信号を供給する信号線と、該信号線に電気的に接続されたアクティブ素子と、電極間に生じる電界によって前記液晶を駆動する第１電極及び第２電極とが形成され、前記第１電極は前記アクティブ素子に接続される液晶装置において、前記第２電極は、前記信号線、及び前記アクティブ素子を覆う第１絶縁膜上に開口部を有して形成され、前記第１電極は、前記第２電極上に第２絶縁膜を介して形成されるとともに、前記第１電極は所定の線幅を有した線状形状で構成されてなり、前記第２電極の開口部を通じて前記第１電極と前記アクティブ素子とが接続され、前記第１電極、前記第２電極のうち少なくとも１つは前記第１基板側から入射した光を反射させる反射電極であることを特徴とする。
【手続補正４】
【補正対象書類名】明細書
【補正対象項目名】００１６
【補正方法】変更
【補正の内容】
【００１６】  本発明の液晶装置は、前記第１電極の線幅をＷ１、電極間隔をＬ１とすると、４＜Ｌ１／Ｗ１≦４０であることを特徴とする。
【手続補正５】
【補正対象書類名】明細書
【補正対象項目名】００１８
【補正方法】変更
【補正の内容】
【００１８】  本発明の液晶装置は、前記第１電極の線幅をＷ１、電極間隔をＬ１とすると、０．００５≦Ｌ１／Ｗ１＜０．２であることを特徴とする。
【手続補正６】
【補正対象書類名】明細書
【補正対象項目名】００２０
【補正方法】変更
【補正の内容】
【００２０】  本発明の液晶装置は、前記第１電極の電極間隔をＬ１とすると、０．１μｍ≦Ｌ１＜１μｍであることを特徴とする。
【手続補正７】
【補正対象書類名】明細書
【補正対象項目名】００２２
【補正方法】変更
【補正の内容】
【００２２】  本発明の液晶装置は、前記第１電極の電極間隔をＬ１とすると、８μｍ＜Ｌ１≦２５μｍであることを特徴とする。
【手続補正８】
【補正対象書類名】明細書
【補正対象項目名】００２４
【補正方法】変更
【補正の内容】
【００２４】  本発明の液晶装置は、前記第２電極における開口部は１画素内で複数存在し、各々を通じて複数の前記線状形状の第１電極が１つの同じアクティブ素子に接続されることを特徴とする。
【手続補正９】
【補正対象書類名】明細書
【補正対象項目名】００２６
【補正方法】変更
【補正の内容】
【００２６】  本発明の液晶装置は、前記第１電極が遮光膜を兼ねていることを特徴とする。
【手続補正１０】
【補正対象書類名】明細書
【補正対象項目名】００２８
【補正方法】変更
【補正の内容】
【００２８】  本発明の液晶装置は、前記第２電極が遮光膜を兼ねていることを特徴とする。
【手続補正１１】
【補正対象書類名】明細書
【補正対象項目名】００３０
【補正方法】変更
【補正の内容】
【００３０】  本発明の液晶装置は、前記線状形状の第１電極の長手方向は液晶パネルの４つの辺いずれとも非平行かつ非直交であることを特徴とする。
【手続補正１２】
【補正対象書類名】明細書
【補正対象項目名】００３２
【補正方法】変更
【補正の内容】
【００３２】  本発明の液晶装置は、各画素の形状は平行四辺形でかつ各角が直角でないことを特徴とする。
【手続補正１３】
【補正対象書類名】明細書
【補正対象項目名】００３４
【補正方法】変更
【補正の内容】
【００３４】  本発明の液晶装置は、前記線状形状の第１電極の長手方向と液晶パネルの長手方向なす角度をβとすると、３度≦β≦８７度であることを特徴とする。
【手続補正１４】
【補正対象書類名】明細書
【補正対象項目名】００３６
【補正方法】変更
【補正の内容】
【００３６】  本発明の液晶装置は、隣り合う画素のうち、少なくとも１つの線状形状の第１電極の長手方向が隣り合う画素の線状形状の第１電極の長手方向と非平行であることを特徴とする。
【手続補正１５】
【補正対象書類名】明細書
【補正対象項目名】００３８
【補正方法】変更
【補正の内容】
【００３８】  本発明の液晶装置は、前記線状形状の第１電極の形状が「く」の字であることを特徴とする。
【手続補正１６】
【補正対象書類名】明細書
【補正対象項目名】００４０
【補正方法】変更
【補正の内容】
【００４０】  本発明の液晶装置は、前記第１絶縁膜は前記第２電極が鏡面となるように平坦化機能を有することを特徴とする。
【手続補正１７】
【補正対象書類名】明細書
【補正対象項目名】００４２
【補正方法】変更
【補正の内容】
【００４２】  本発明の液晶装置は、前記第１電極は画素電極であり、前記第２電極は共通電極であることを特徴とする。
【手続補正１８】
【補正対象書類名】明細書
【補正対象項目名】００４４
【補正方法】変更
【補正の内容】
【００４４】  本発明の液晶装置は、前記第１絶縁膜の厚さをＤ１とすると、０．０１μｍ≦Ｄ１≦５μｍであることを特徴とする。
【手続補正１９】
【補正対象書類名】明細書
【補正対象項目名】００４６
【補正方法】変更
【補正の内容】
【００４６】  本発明の液晶装置は、前記第２絶縁膜の厚さをＤ２とすると、０．０１μｍ≦Ｄ２≦５μｍであることを特徴とする。
【手続補正２０】
【補正対象書類名】明細書
【補正対象項目名】００４８
【補正方法】変更
【補正の内容】
【００４８】  本発明の液晶装置は、前記第１絶縁膜、第２絶縁膜のうちいずれかがＳｉＯｘまたはＳｉＮｘからなることを特徴とする。
【手続補正２１】
【補正対象書類名】明細書
【補正対象項目名】００５０
【補正方法】変更
【補正の内容】
【００５０】  本発明の液晶装置は、前記第２絶縁膜の可視光域における透過率が８０％以上であることを特徴とする。
【手続補正２２】
【補正対象書類名】明細書
【補正対象項目名】００５２
【補正方法】変更
【補正の内容】
【００５２】  本発明の液晶装置は、前記第２絶縁膜がカラーフィルタであることを特徴とする。
【手続補正２３】
【補正対象書類名】明細書
【補正対象項目名】００５４
【補正方法】変更
【補正の内容】
【００５４】  本発明の液晶装置は、前記液晶層の厚みをｄ、液晶の屈折率異方性をΔｎとすると、０．１μｍ≦Δｎ×ｄ＜０．２μｍであることを特徴とする。
【手続補正２４】
【補正対象書類名】明細書
【補正対象項目名】００５６
【補正方法】変更
【補正の内容】
【００５６】  本発明の液晶装置は、前記第１基板、前記第２基板において前記液晶層と接する面には配向膜が形成され、前記液晶層における液晶分子が基板面となす角度（プレティルト角）をθｐとすると、１０度＜θｐ≦９０度であることを特徴とする。
【手続補正２５】
【補正対象書類名】明細書
【補正対象項目名】００５８
【補正方法】変更
【補正の内容】
【００５８】  本発明の液晶装置は、前記第１基板内面に形成された配向膜の配向軸と前記第２基板内面に形成された配向膜の配向軸の角度をαとすると、０度≦α＜１８０度であることを特徴とする。
【手続補正２６】
【補正対象書類名】明細書
【補正対象項目名】００６０
【補正方法】変更
【補正の内容】
【００６０】  本発明の液晶装置は、前記液晶層は誘電率異方性が負でかつ、シアノ基を有する液晶材料を含むことを特徴とする。
【手続補正２７】
【補正対象書類名】明細書
【補正対象項目名】００６２
【補正方法】変更
【補正の内容】
【００６２】  本発明の液晶装置は、前記液晶層はカイラルを有する液晶材料を含むことを特徴とする。
【手続補正２８】
【補正対象書類名】明細書
【補正対象項目名】００６４
【補正方法】変更
【補正の内容】
【００６４】  本発明の液晶装置は、前記配向膜はＳｉＯｘからなることを特徴とする。
【手続補正２９】
【補正対象書類名】明細書
【補正対象項目名】００６６
【補正方法】変更
【補正の内容】
【００６６】  本発明の液晶装置は、前記第２基板はシリコン（Ｓｉ）基板であることを特徴とする。
【手続補正３０】
【補正対象書類名】明細書
【補正対象項目名】００６８
【補正方法】変更
【補正の内容】
【００６８】  本発明の液晶装置は、前記第１基板の前記液晶層と異なる面に一定電位の透明電極を設けたことを特徴とする。
【手続補正３１】
【補正対象書類名】明細書
【補正対象項目名】００７０
【補正方法】変更
【補正の内容】
【００７０】  本発明の液晶装置は、前記透明電極は零電位であることを特徴とする。
【手続補正３２】
【補正対象書類名】明細書
【補正対象項目名】００７２
【補正方法】変更
【補正の内容】
【００７２】  本発明の液晶装置は、前記透明電極はＩＴＯから成ることを特徴とする。
【手続補正３３】
【補正対象書類名】明細書
【補正対象項目名】００７４
【補正方法】変更
【補正の内容】
【００７４】  本発明の液晶装置は、画素ピッチが３０μｍ以下であることを特徴とする。
【手続補正３４】
【補正対象書類名】明細書
【補正対象項目名】００７６
【補正方法】変更
【補正の内容】
【００７６】  本発明の液晶装置は、前記第１電極の電極間隔をＬ１、前記第２絶縁膜の厚さをＤ２とすると、５≦Ｌ１／Ｄ２≦３０であることを特徴とする。
【手続補正３５】
【補正対象書類名】明細書
【補正対象項目名】００７８
【補正方法】変更
【補正の内容】
【００７８】  本発明の投射型表示装置は、上記いずれかに記載の液晶装置を備えたことを特徴とする。
【手続補正３６】
【補正対象書類名】明細書
【補正対象項目名】００８０
【補正方法】変更
【補正の内容】
【００８０】  本発明の投射型表示装置は、光源と、前記光源からの光を変調する光変調装置と、前記光変調装置により変調された光を投射する投射レンズとが具備され、前記光変調装置として上記いずれかに記載された液晶装置が用いられたことを特徴とする。
【手続補正３７】
【補正対象書類名】明細書
【補正対象項目名】００８２
【補正方法】変更
【補正の内容】
【００８２】  本発明の液晶装置は、前記第１基板の前記液晶層とは異なる側に偏光板を配置し、前記液晶層は一軸配向を成し、前記一軸配向方向と前記偏光板の透過軸は概ね４５度の角度を成し、前記液晶層の位相差が概ね１／４波長であることを特徴とする。
【手続補正３８】
【補正対象書類名】明細書
【補正対象項目名】００８４
【補正方法】変更
【補正の内容】
【００８４】  本発明の液晶装置は、前記第１基板の前記液晶層とは異なる側に少なくとも１枚の位相差板と偏光板を順次配置し、前記液晶層と前記位相差板を合わせた位相差が可視光域の光に対して概ね１／４波長であることを特徴とする。
【手続補正３９】
【補正対象書類名】明細書
【補正対象項目名】００８６
【補正方法】変更
【補正の内容】
【００８６】  本発明の液晶装置は、前記第１基板の前記液晶層とは異なる側に少なくとも１枚の位相差板と偏光板を順次配置し、前記位相差板は可視光域で概ね１／４波長であることを特徴とする。
【手続補正４０】
【補正対象書類名】明細書
【補正対象項目名】００８８
【補正方法】変更
【補正の内容】
【００８８】  本発明の液晶装置は、前記第１基板の前記液晶層側の面に各画素に対応したカラーフィルタを形成したことを特徴とする。
【手続補正４１】
【補正対象書類名】明細書
【補正対象項目名】００９０
【補正方法】変更
【補正の内容】
【００９０】  本発明の電子機器は、上記いずれかに記載の液晶装置を搭載したことを特徴とする。